(57)【要約】【課題】多画素化や高フレームレート化に伴い、システム全体の駆動速度が高速化されて１水平時間が短くなっても、高画質な表示画像を得ることを可能にする。【解決手段】表示駆動の制御を行う駆動基板３３から供給されるＶＣＯＭデータに基づいて、ＣＯＦ実装されたドライバＩＣ３２にてＶＣＯＭ電位を生成して表示パネル１１上の画素アレイ部１２に供給する構成を採る液晶表示装置において、ドライバＩＣ３２で生成したＶＣＯＭ電位を一度駆動基板３３に戻し、パスコンデンサ３８が接続されたＶＣＯＭ迂回配線３７を経由して再びフィルム３１に入力し、当該フィルム３１を経由して表示パネル１１に供給するようにする。【選択図】図１
2008046384.tif 000002
【特許請求の範囲】
【請求項１】
発光素子を含む画素が複数配置されてなる画素アレイ部を含む表示パネルと、
前記表示パネルの外部に設けられた駆動基板から与えられる情報に基づいて前記画素アレイ部の各画素を駆動する駆動回路とを備え、
前記駆動回路の出力信号を前記駆動基板を経由して前記表示パネルに供給する
ことを特徴とする画像表示装置。
【請求項２】
前記駆動基板は、前記駆動回路の出力信号を複数の系統に分岐して前記表示パネルに供給する分岐配線を有する
ことを特徴とする請求項１記載の画像表示装置。
【請求項３】
前記駆動回路は、前記表示パネルと前記駆動基板との間に介在するフィルム上に実装されている
ことを特徴とする請求項１記載の画像表示装置。
【請求項４】
前記フィルムは、前記駆動回路の両脇に配置され、前記分岐配線を経由した前記駆動回路の出力信号を前記表示パネルに供給する複数の配線を有する
ことを特徴とする請求項３記載の画像表示装置。
【請求項５】
前記表示パネルと前記フィルムとの接続部において、前記複数の配線の接続パッドが他の接続パッドよりも面積が広い
ことを特徴とする請求項４記載の画像表示装置。
【請求項６】
前記表示パネルは、同一の配線層に配線され、前記複数の配線から供給される前記駆動回路の出力信号を前記画素アレイ部に供給する複数の信号供給線を有する
ことを特徴とする請求項４記載の画像表示装置。
【請求項７】
前記駆動回路の出力信号は、前記表示パネルで用いる基準電位であり、
前記駆動基板は、前記基準電位を前記表示パネルに供給する配線と、当該配線と基準電位ノードとの間に接続されたコンデンサとを有する
ことを特徴とする請求項１記載の画像表示装置。
【請求項８】
前記駆動基板は、前記駆動回路の出力信号をバッファリングするバッファを有する
ことを特徴とする請求項１記載の画像表示装置。
【請求項９】
前記バッファは、バイポーラトランジスタによって構成されている
ことを特徴とする請求項８記載の画像表示装置。
【発明の詳細な説明】
【技術分野】
【０００１】
本発明は、発光素子を含む画素が複数配置されてなる画像表示装置に関する。
【背景技術】
【０００２】
画像表示装置の多画素化や高フレームレート化に伴い、システム全体の駆動速度が高速化されるため、１水平時間が短くなってきている。このため、映像信号を信号線や画素へ書き込む有効水平時間が短くなるだけでなく、水平ブランキング時間も短くなってきている。
【０００３】
前者の有効水平時間が短くなると、信号線や画素への書込みが正常に行えず、画面内の明るさや色の均一性、即ち画面のユニフォミティが悪化する。特に、点順次駆動方式や信号線選択駆動（擬似線順次駆動）方式を採用した場合、線順次駆動と比較して書込み時間が短くなるため、縦スジが発生し、ユニフォミティが著しく悪化する。
【０００４】
これは、例えば液晶表示装置において、表示パネル内で基準電位となっているコモン電位ＶＣＯＭ（以下、「ＶＣＯＭ電位」と記述する）が、信号線とＶＣＯＭ電位を供給するＶＣＯＭ配線との寄生容量によって映像信号の書込み時間内に安定せず、信号線の書込み順で実効的な保持電圧が異なるためである。
【０００５】
ここで、信号線選択駆動（擬似線順次駆動）を採用する液晶表示装置（例えば、特許文献１参照）におけるユニフォミティ低下の現象について説明する。
【０００６】
図１４に、信号線選択駆動方式の液晶表示装置の構成の概略を示す。図１４に示すように、表示パネル１０１上に、画素が２次元配置されてなる画素アレイ部１０２が設けられ、当該画素アレイ部１０２の例えば両側に垂直（Ｖ）ドライバ（走査線駆動回路）１０３Ａ，１０３Ｂが配されている。画素アレイ部１０２の各画素には、その周囲に配線されＶＣＯＭ配線１０４によってパネル外部からＶＣＯＭ電位が共通に与えられる。
【０００７】
画素アレイ部１０２には、画素列ごとに信号線１０５（１０５−１，１０５−２，…）が配線されている。これら信号線１０５は、例えば４本ずつが単位となっている。この単位となる４本ずつの信号線、例えば信号線１０５−１，１０５−２，１０５−３，１０５−４に対して、セレクトスイッチ１０６が１個ずつ配置されている。
【０００８】
このセレクトスイッチ１０６が全信号線分配置されることにより、水平（Ｈ）ドライバ１０７が構成される。セレクトスイッチ１０６は、パネル外部から時系列で入力される映像信号Ｖｓｉｇを時分割で４本の信号線１０５−１，１０５−２，１０５−３，１０５−４に順番に書き込む。これが、信号線選択駆動である。
【０００９】
図１５に、セレクトスイッチ１０６の４つのスイッチＨＳＷ１，ＨＳＷ２，ＨＳＷ３，ＨＳＷ４と、４本の信号線線１０５−１，１０５−２，１０５−３，１０５−４との接続関係を示す。
【００１０】
上記構成の信号線選択駆動方式の液晶表示装置では、ＶＣＯＭ配線１０４のインピーダンスが高い場合、セレクトスイッチ１０６の各スイッチＨＳＷ１，ＨＳＷ２，ＨＳＷ３，ＨＳＷ４によって映像信号Ｖｓｉｇを順番に書き込む際に、図１６に示すように、信号線１０５（１０５−１，１０５−２，…）とＶＣＯＭ配線１０４の寄生容量によってＶＣＯＭ電位が大きく変動する。図１６において、波形Ａ，Ｂ，Ｃ，Ｄは、信号線線１０５−１，１０５−２，１０５−３，１０５−４上の信号波形を示している。
【００１１】
このように、ＶＣＯＭ電位が大きく変動した際に、当該ＶＣＯＭ電位が安定するまで十分な時間を確保できないと、映像信号Ｖｓｉｇの書込み順によるユニフォミティ低下（縦スジ）が生じる。このＶＣＯＭ電位の揺れを小さくするため、表示パネル１０１内のＶＣＯＭ電位を安定化させるためのパスコンデンサをＶＣＯＭ配線１０４に配置することや、あるいは、ＶＣＯＭ配線１０４の低インピーダンス化を図ることが求められている。
【００１２】
【特許文献１】特開２００４−２２６７８６号公報
【発明の開示】
【発明が解決しようとする課題】
【００１３】
しかしながら、図１７に示すように、フィルム２０１上にＣＯＦ(Chip On Film)実装されたドライバＩＣ２０２でＶＣＯＭ電位を生成する場合、フィルム２０１上にパスコンデンサ２０３を搭載することは実装コストの上昇を招く。
【００１４】
特に、低温ポリシリコンや高温ポリシリコンに代表される駆動回路内蔵の表示パネル１０１では、ＶＣＯＭ配線１０４は、ガードリング（静電気対策）のために設けられるものであるとともに、表示パネル１０１上には対向電極へ接続するＣＯＭパッドが存在する等の理由により、通常、表示パネル１０１の最外周に配置される。その結果、垂直ドライバ１０３Ａ，１０３Ｂ用の電源線やその制御線１０８Ａ，１０８Ｂと、ドライバＩＣ２０２に繋がるＶＣＯＭ配線１０４とが表示パネル１０１内で交差することになるため、配線が複雑になり、ＶＣＯＭ配線１０４のインピーダンスが増加してしまう。
【００１５】
これに対して、フィルム２０１上で配線を入れ換えることにより、垂直ドライバ１０３Ａ，１０３Ｂ用の電源線やその制御線１０８Ａ，１０８ＢとＶＣＯＭ配線１０４との表示パネル１０１内での交差を回避することができる。しかしながら、フィルム２０１上で配線を入れ換えるには、配線層を複数用意する必要があるため、フィルム２０１のコスト高につながる。
【００１６】
一方、１水平時間が短くなることに伴って水平ブランキング時間が短くなると、従来からユニフォミティ向上のために導入されていた信号線一括プリチャージ駆動に要する時間も短くなるので、十分なユニフォミティが得られない。このため、プリチャージドライバ１０９（図１７参照）によって全信号線にプリチャージ信号ＰＳＩＧを書き込む際に高速に書き込む必要がある。しかしながら、多画素化が進むと、一括プリチャージする信号線の数も増加するので、プリチャージ信号ＰＳＩＧによって駆動する容量負荷も増大し、プリチャージ時間の短縮はますます困難となる。
【００１７】
特に、図１８に示すように、プリチャージ信号ＰＳＩＧを書き込むスイッチ群からなるプリチャージドライバ１０９を表示パネル１０１の下部（画素アレイ部１０２を挟んで水平ドライバ１０７と反対側）に配置した場合に、プリチャージドライバ１０９までの引き回し配線（ＰＳＩＧ配線）１１０が長くなり、当該引き回し配線１１０の抵抗成分（配線抵抗）がプリチャージ信号ＰＳＩＧの書込み速度を遅くする重要な要因となる。
【００１８】
また、ＣＯＦ実装のドライバＩＣ２０２に搭載されたプリチャージ信号ＰＳＩＧのバッファ回路で全信号線を駆動する場合、低温ポリシリコンや高温ポリシリコンに代表される駆動回路内蔵の表示パネル１０１では、垂直ドライバ１０３Ａ，１０３Ｂ用の電源線やその制御線１０８Ａ，１０８ＢとドライバＩＣ２０２から出力されるＰＳＩＧ配線１１０が表示パネル１０１内で交差するため、配線が複雑になり、ＰＳＩＧ配線１１０の引き回し配線の配線抵抗が増加してしまう。
【００１９】
一方、ＣＯＦ実装のドライバＩＣ２０２で多画素化や高フレームレート化を実現する場合、高速化のためにドライバＩＣ２０２内のデジタル信号処理部のみならず、映像信号駆動用バッファ部の消費電力も増加するので、発熱によりＣＯＦ実装の信頼性の問題になっており、ドライバＩＣ２０２の消費電力低下の必要性がますます高まりつつある。また、特に画質のユニフォミティ向上のために導入している信号線一括プリチャージ駆動では、画素数の増加と共に駆動する信号線の負荷容量が増大し、それに伴って消費電力が増大してしまう。
【００２０】
以上では、ドライバＩＣ２０２がＣＯＦ実装の場合を例に挙げて従来の問題点を述べたが、ドライバＩＣ２０２が表示パネル１０１上に実装されたＣＯＧ(Chip On Glass)実装の場合にも、基本的に、同様のことが言える。
【００２１】
そこで、本発明は、多画素化や高フレームレート化に伴い、システム全体の駆動速度が高速化されて１水平時間が短くなっても、高画質な表示画像を得ることが可能な画像表示装置を提供することを目的とする。
【課題を解決するための手段】
【００２２】
本発明による画像表示装置は、発光素子を含む画素が複数配置されてなる画素アレイ部を含む表示パネルと、前記表示パネルの外部に設けられた駆動基板から与えられる情報に基づいて前記画素アレイ部の各画素を駆動する駆動回路とを備え、前記駆動回路の出力信号を前記駆動基板を経由して前記表示パネルに供給する構成となっている。
【００２３】
上記構成の画像表示装置において、駆動回路の出力信号を一度駆動基板に戻すことで、当該出力信号を伝送する配線を駆動基板上で自由に配置できる。具体的には、表示パネル上において駆動回路の出力信号を伝送する配線が他の配線と交差しないように、表示パネル上の配線に対応して駆動基板上の配線を配置できる。駆動回路の出力信号を伝送する配線が他の配線と表示パネル内で交差しないことで、当該出力信号を伝送する配線のインピーダンスを下げることができる。
【発明の効果】
【００２４】
本発明によれば、駆動回路の出力信号を伝送する配線のインピーダンスを下げることができることにより、当該出力信号に基づく駆動を限られ時間内で実行できるために、多画素化や高フレームレート化に伴い、システム全体の駆動速度が高速化されて１水平時間が短くなっても、高画質な表示画像を得ることができる。
【発明を実施するための最良の形態】
【００２５】
以下、本発明の実施の形態について図面を参照して詳細に説明する。
【００２６】
［第１実施形態］
図１は、本発明の第１実施形態に係る画像表示装置の構成の概略を示すシステム構成図である。本実施形態では、例えば、信号線選択駆動（擬似線順次駆動）方式を採用する液晶表示装置に適用した場合を例に挙げて説明するものとする。
【００２７】
図１に示すように、本実施形態に係る液晶表示装置は、表示パネル１１上に、液晶セルを含む複数の画素が行列状に２次元配置されてなる画素アレイ部１２が設けられ、当該画素アレイ部１２の例えば両側に垂直ドライバ（走査線駆動回路）１３Ａ，１３Ｂが配置され、画素アレイ部１２の例えば上側に水平ドライバ（信号線駆動回路）１４が、下側にプリチャージドライバ１５が夫々配置されたいわゆる駆動回路内蔵のパネル構造となっている。
【００２８】
表示パネル１１は、透明な２枚の基板が対向して配置され、これら２枚の基板間に液晶（液晶層）が封入された構造となっている。また、単位画素が形成された一方の基板（アレイ基板）には透明な電極（画素電極）が画素単位で形成され、他方の基板（対向基板）には一つの透明な電極（対向電極）が表示エリア全体に亘って形成されている。
【００２９】
そして、表示パネル１１の外周部および画素アレイ部１２の周囲には、表示パネル１１の外部から供給されるＶＣＯＭ電位を伝送するためのＶＣＯＭ配線１６がパターン配線されている。このＶＣＯＭ配線１６は、表示パネル１１の外周部にもパターン配線されることで、画素アレイ部１２およびその周辺の駆動回路（垂直ドライバ１３Ａ，１３Ｂ、水平ドライバ１４およびプリチャージドライバ１５）を静電気から保護するガードリング（シールド）の作用をなす。
【００３０】
図２に、画素２０の回路構成の一例を示す。図２に示すように、画素２０は、画素トランジスタ、例えばＴＦＴ(Thin Film Transistor;薄膜トランジスタ)２１と、このＴＦＴ２１のドレイン電極に画素電極が接続された液晶セル２２と、ＴＦＴ２１のドレイン電極に一方の電極が接続された保持容量２３とを有する回路構成となっている。
【００３１】
ここで、液晶セル２２は、画素電極とこれに対向して形成される対向電極との間に発生する液晶容量を意味する。ＴＦＴ２１は、ゲート電極が走査線２４に接続され、ソース電極が信号線２５に接続されている。また、保持容量２３の他方の電極は、ＶＣＯＭ配線２６に対して各画素共通に接続されている。
【００３２】
そして、保持容量２３の他方の電極には、ＶＣＯＭ配線１６を通してＶＣＯＭ電位（コモン電位）が各画素共通に与えられる。また、ＶＣＯＭ配線１６によって伝送されたＶＣＯＭ電位は、表示パネル１１上の例えば４隅に設けられたコンタクト部１９Ａ〜１９Ｄを介して対向基板に与えられ、その結果、当該対向基板を通して液晶セル２２の対向電極にＶＣＯＭ電位が各画素共通に印加される。
【００３３】
なお、図示を省略するが、画素アレイ部１２には、画素列ごとに信号線が配線され、画素行ごとに走査線が配線されている。また、信号線選択駆動方式の液晶表示装置においては、背景技術で述べたように、水平ドライバ１４は、複数の信号線を単位とし、この単位となる複数の信号線に対して１個ずつ配置されたセレクトスイッチ群によって構成されている。さらに、本実施形態に係る液晶表示装置では、信号線一括プリチャージ駆動方式を採用していることから、プリチャージドライバ１５は、信号線ごとに配されたプリチャージスイッチ群によって構成されている。
【００３４】
表示パネル１１の一辺、例えば水平ドライバ１４側の一辺のコネクタ部には、フィルム３１がその一辺のコネクタ部にて電気的に接続されている。フィルム３１の配線層は単層となっている。ただし、単層に限られるものではなく、複数層の配線層であっても良い。フィルム３１上には、駆動回路（以下、「ドライバＩＣ」と記述する）３２が実装（ＣＯＦ実装）されている。フィルム３１の表示パネル１１と反対側の辺のコネクタ部には、駆動基板３３がそのコネクタ部にて電気的に接続されている。駆動基板３３からは、映像信号データ、ＶＣＯＭデータ、ＰＳＩＧ（プリチャージ信号）データや、垂直ドライバ１３Ａ，１３Ｂ用の電源や制御信号などが出力される。
【００３５】
ＣＯＦ実装のドライバＩＣ３２は、Ｄ／Ａ（ディジタル／アナログ）変換器、アンプ、バッファ等によって構成され、駆動基板３３から供給される映像信号データや、ＶＣＯＭデータおよびＰＳＩＧデータをアナログ信号やＤＣ電位に変換して出力する。ドライバＩＣ３２から出力される映像信号は直接表示パネル１１に供給される。
【００３６】
駆動基板３３から供給される垂直ドライバ１３Ａ，１３Ｂ用の電源や制御信号などは、フィルム３１上に配線された電源線や制御線３５Ａ，３５Ｂを経由し、表示パネル１１上に配線された電源線や制御線１７Ａ，１７Ｂを介して垂直ドライバ１３Ａ，１３Ｂなどに供給される。
【００３７】
ＶＣＯＭデータに基づいてドライバＩＣ３２で生成されたＶＣＯＭ電位は、フィルム３１上の第１のＶＣＯＭ配線３６によって一度駆動基板３３に戻される。駆動基板３３上にはＶＣＯＭ迂回配線３７が配線されている。そして、ＶＣＯＭ迂回配線３７と基準電位ノード、例えば接地（ＧＮＤ）との間には、ＶＣＯＭ電位を安定化させるためのパスコンデンサ３８が接続されている。駆動基板３３に供給されたＶＣＯＭ電位は、ＶＣＯＭ迂回配線３７を経由して再びフィルム３１に入力し、フィルム３１上の電源線や制御線３５Ｂよりも外側に配線された第２のＶＣＯＭ配線３９によって表示パネル１１上のＶＣＯＭ配線１６に供給される。
【００３８】
上述したように、表示駆動の制御を行う駆動基板３３から供給されるＶＣＯＭデータに基づいて、ＣＯＦ実装されたドライバＩＣ３２にてＶＣＯＭ電位を生成して表示パネル１１上の画素アレイ部１２に供給する構成を採る例えば液晶表示装置において、ドライバＩＣ３２で生成したＶＣＯＭ電位を一度駆動基板３３に戻し、パスコンデンサ３８が接続されたＶＣＯＭ迂回配線３７を経由して再びフィルム３１に入力し、当該フィルム３１を経由して表示パネル１１に供給するようにすることで、フィルム３１上にパスコンデンサ３８を設けなくて良いために、フィルム３１の実装の大幅なコストダウンになる。
【００３９】
なお、ドライバＩＣ３２で生成したＶＣＯＭ電位を一度駆動基板３３に戻し、再度フィルム３３に戻すことで、フィルム３１と駆動基板３３とを接続するコネクタ部のピン数が増加することになるが、当該コネクタ部のピン数の増加に伴うコストアップは、フィルム３１の実装のコストダウンに比べてはるかに小さい。すなわち、ピン数増加に伴ってコストが多少アップしたとしても、フィルム３１の実装コストダウンに伴うメリットの方が大である。
【００４０】
一方、ドライバＩＣ３２で生成したＶＣＯＭ電位をフィルム３１から直接表示パネル１１に入力する場合は、その配線がフィルム３１上の電源線や制御線３５Ｂよりも内側を通ることになるために（図１７参照）、ＶＣＯＭ配線１６と垂直ドライバ１３Ａ，１３Ｂ用の電源線やその制御線１７Ａ，１７Ｂとが表示パネル１１内で交差することになる。
【００４１】
これに対して、ＶＣＯＭ電位を一度駆動基板３３に戻すことにより、フィルム３１上の電源線や制御線３５Ｂよりも外側に配線された第２のＶＣＯＭ配線３９に対応させてＶＣＯＭ迂回配線３７を配置できるために、ＶＣＯＭ電位を制御線３５Ｂよりも外側のＶＣＯＭ配線３９を通して表示パネル１１に入力することができる。これにより、図１から明らかなように、ＶＣＯＭ配線１６が垂直ドライバ１３Ａ，１３Ｂ用の電源線やその制御線１７Ａ，１７Ｂと表示パネル１１内で交差することがなくなるために、ＶＣＯＭ配線１６のインピーダンスを下げることができる。
【００４２】
ＶＣＯＭ配線１６のインピーダンスが下がることにより、液晶表示装置の多画素化や高フレームレート化によってシステム全体の駆動速度が高速化され、それに伴って１水平時間、ひいては有効水平時間が短くなってきたとしても、ＶＣＯＭ電位を映像信号の書込み時間内に安定させることができるために、線順次駆動方式と比較して書込み時間が短くなる信号線選択駆動方式の液晶表示装置でも、ユニフォミティを悪化させることなく、高画質な表示画像を得ることができる。
【００４３】
（第１変形例）
図３は、第１実施形態の第１変形例に係る液晶表示装置の構成の概略を示すシステム構成図であり、図中、図１と同等部分には同一符号を付して示している。ドライバＩＣ３２で生成したＶＣＯＭ電位を一度駆動基板３３に戻すことにより、図３に示すように、ＶＣＯＭ迂回配線３７を駆動基板３３上で２系統に分離した後、フィルム３１上のドライバＩＣ３２の両脇に配置された２系統のＶＣＯＭ配線３９Ａ，３９Ｂを通して表示パネル１１上のＶＣＯＭ配線１６にその両端から入力することができる。この第１変形例によれば、ＶＣＯＭ配線１６のさらなる低インピーダンス化を図ることができるために、より高画質な表示画像を得ることができる。
【００４４】
（第２変形例）
ただし、ＶＣＯＭ迂回配線３７の分離は２系統に限られるものではなく、３系統以上の複数系統、例えば図４に示すように、４系統に分離することも可能である。４系統に分離する場合、ＶＣＯＭ電位をフィルム３１上の４系統のＶＣＯＭ配線３９Ａ，３９Ｂ，３９Ｃ，３９Ｄを通して表示パネル１１上のＶＣＯＭ配線１６に４箇所から入力することができる。この第２変形例によれば、ＶＣＯＭ配線１６のさらなる低インピーダンス化を図ることができるために、多画素化や高フレームレート化が進んでも、ユニフォミティを悪化させることがない良好な液晶表示装置を実現できる。
【００４５】
（他の変形例）
また、表示パネル１１の基準電位となっているＶＣＯＭ電位を安定させるためにＶＣＯＭ配線１６を低インピーダンス化させる必要があるが、フィルム３１と表示パネル１１との接続抵抗に律速しないように、ＶＣＯＭ供給端子数を増やす、または、ＶＣＯＭ供給端子のパッド（接続パッド）の面積を他の端子よりも広くして、表示パネル１１とフィルム３１との接続部分の接続抵抗を抑えることで、ＶＣＯＭ配線１６のさらなる低インピーダンス化を図ることができるために、より高画質な表示画像を得ることができる。
【００４６】
［第２実施形態］
図５は、本発明の第２実施形態に係る画像表示装置の構成の概略を示すシステム構成図であり、図中、図１と同等部分には同一符号を付して示している。本実施形態でも、信号線選択駆動方式の液晶表示装置に適用した場合を例に挙げて説明するものとする。
【００４７】
第１実施形態では、ＣＯＦ実装されたドライバＩＣ３２で生成するＶＣＯＭ電位を表示パネル１１へ供給する供給経路を対象としていたのに対して、本実施形態では、ＣＯＦ実装されたドライバＩＣ３２で生成するプリチャージ信号ＰＳＩＧを表示パネル１１へ供給する供給経路を対象としている。
【００４８】
図５において、ＣＯＦ実装されたドライバＩＣ３２は、駆動基板３３から与えられるＰＳＩＧデータに基づく信号レベルのプリチャージ信号ＰＳＩＧを生成する。ドライバＩＣ３２で生成されたプリチャージ信号ＰＳＩＧは、フィルム３１の第１のＰＳＩＧ配線４１によって一度駆動基板３３に供給される。
【００４９】
駆動基板３３上にはＰＳＩＧ迂回配線４２が配線されている。そして、駆動基板３３に供給されたプリチャージ信号ＰＳＩＧは、ＰＳＩＧ迂回配線４２を経由して再びフィルム３１に入力し、フィルム３１上の電源線や制御線３５Ｂよりも外側に配線された第２のＰＳＩＧ配線４３によって表示パネル１１に入力される。
【００５０】
表示パネル１１上には、フィルム３１から供給されるプリチャージ信号ＰＳＩＧをプリチャージドライバ１５に伝送するＰＳＩＧ配線１８が配線されている。プリチャージドライバ１５は、画素アレイ部１２の画素列ごとに配線されたｎ本の信号線２５−１〜２５−ｎの各一端とＰＳＩＧ配線１８との間に接続されたｎ個のプリチャージスイッチＰＳＷ−１〜ＰＳＷ−ｎを有する構成となっている。
【００５１】
上述したように、表示駆動の制御を行う駆動基板３３から供給されるＰＳＩＧデータに基づいて、ＣＯＦ実装されたドライバＩＣ３２にてプリチャージ信号ＰＳＩＧを生成して表示パネル１１上のプリチャージドライバ１５に供給する構成を採る例えば液晶表示装置において、ドライバＩＣ３２で生成したプリチャージ信号ＰＳＩＧを一度駆動基板３３に戻し、ＰＳＩＧ迂回配線４２を経由して再びフィルム３１に入力し、当該フィルム３１を経由して表示パネル１１に供給するようにすることで、次のような作用効果を得ることができる。
【００５２】
先ず、ドライバＩＣ３２で生成したプリチャージ信号ＰＳＩＧをフィルム３１から直接表示パネル１１に入力する構成を採った場合は、図６に示すように、フィルム３１上のＰＳＩＧ配線４１が電源線や制御線３５Ｂよりも内側を通ることになるために、ＰＳＩＧ配線１８と垂直ドライバ１３Ａ，１３Ｂ用の電源線やその制御線１７Ａ，１７Ｂとが表示パネル１１内で交差することになる。
【００５３】
これに対して、プリチャージ信号ＰＳＩＧを一度駆動基板３３に戻すことにより、フィルム３１上の電源線や制御線３５Ｂよりも外側に配線された第２のＰＳＩＧ配線４３を通して表示パネル１１に入力することができることから、図５から明らかなように、ＰＳＩＧ配線１８が垂直ドライバ１３Ａ，１３Ｂ用の電源線やその制御線１７Ａ，１７Ｂと表示パネル１１内で交差することがなくなるために、ＰＳＩＧ配線１８のプリチャージスイッチＰＳＷ−１〜ＰＳＷ−ｎまでの引き回し配線の配線抵抗を下げることができる。これにより、短時間でプリチャージ動作を行うことができるために、高画質な表示画像を得ることができる。
【００５４】
（第１変形例）
図７は、第２実施形態の第１変形例に係る液晶表示装置の構成の概略を示すシステム構成図であり、図中、図５と同等部分には同一符号を付して示している。ドライバＩＣ３２で生成したプリチャージ信号ＰＳＩＧを一度駆動基板３３に戻すことにより、図７に示すように、ＰＳＩＧ迂回配線４２を駆動基板３３上で２系統に分離した後、フィルム３１上の２系統のＰＳＩＧ配線４３Ａ，４３Ｂを通して表示パネル１１に入力するとともに、表示パネル１１上に配線された２系統のＰＳＩＧ配線１８Ａ，１８Ｂを通してプリチャージドライバ１５のスイッチ群（プリチャージスイッチＰＳＷ−１〜ＰＳＷ−ｎ）に対してその両端から入力することができる。
【００５５】
この第１変形例によれば、ＰＳＩＧ配線１８Ａ，１８ＢのプリチャージスイッチＰＳＷ−１〜ＰＳＷ−ｎまでの引き回し配線の配線抵抗をさらに下げることができるために、プリチャージ動作をさらに短時間で行うことができる。これにより、液晶表示装置の多画素化や高フレームレート化によってシステム全体の駆動速度が高速化され、それに伴って１水平時間、ひいては水平ブランキング時間が短くなり、信号線一括プリチャージ駆動に要する時間が短くなってきたとしても、ユニフォミティ向上のための信号線一括プリチャージ駆動を限られた時間内で確実に行うことができるために、高画質な表示画像を得ることができる。
【００５６】
図８に、プリチャージ信号ＰＳＩＧのパネル入力部での信号波形ＰＳＩＧ１ａと、第１変形例を適用したときの信号線２５−１〜２５−ｎへの書込み波形ＳＩＧ１および適用しないときの信号線２５−１〜２５−ｎへの書込み波形ＳＩＧ２とを示す。
【００５７】
第１変形例を適用しないときは、書込波形ＳＩＧ２から明らかなように、多画素化が進むことに伴って一括プリチャージする信号線２５−１〜２５−ｎの数が増加し、全信号線の容量が大きくなることで、プリチャージ信号ＰＳＩＧを十分に書き込めないことが分かる。これに対して、第１変形例を適用すると、書込波形ＳＩＧ１から明らかなように、ＰＳＩＧ配線１８Ａ，１８Ｂの引き回し配線の配線抵抗が下がり、当該配線抵抗の影響を低減できるため、プリチャージ信号ＰＳＩＧを全信号線に十分に書き込めることが分かる。
【００５８】
（第２変形例）
図９は、第２実施形態の第２変形例に係る液晶表示装置の構成の概略を示すシステム構成図であり、図中、図５と同等部分には同一符号を付して示している。この第２変形例に係る液晶表示装置では、ドライバＩＣ３２の出力段に設けられていたプリチャージ信号ＰＳＩＧについてのバッファ（以下、「ＰＳＩＧバッファ」と記述する）４４を駆動基板３３上に設けた構成を採っている。
【００５９】
このように、ＰＳＩＧバッファ４４を駆動基板３３上に設けることで、表示パネル１１の全信号線の容量駆動をＰＳＩＧバッファ４４が行うことになり、その分だけドライバＩＣ３２の消費電力を低下させることができるために、ＣＯＦ実装の信頼性を向上させることができる。また、ドライバＩＣ３２の消費電力の低下に伴ってドライバＩＣ３２の発熱を抑えるためのヒートシンクが不要になるために、その分だけコスト低減を図ることもできる。
【００６０】
また、ドライバＩＣ３２にバッファを形成する場合は当該バッファがＣＭＯＳトランジスタによって構成されるのに対して、ＰＳＩＧバッファ４４を駆動基板３３上に設けることで、当該ＰＳＩＧバッファ４４をＣＭＯＳトランジスタよりも駆動能力が高いバイポーラトランジスタで構成することができるために、信号線一括プリチャージ駆動を限られた時間内でより確実に行うことができる。
【００６１】
（第３変形例）
図１０は、第２実施形態の第３変形例に係る液晶表示装置の構成の概略を示すシステム構成図であり、図中、図７および図９と同等部分には同一符号を付して示している。この第３変形例に係る液晶表示装置では、ＰＳＩＧ迂回配線４２を駆動基板３３上で２系統に分離した後、プリチャージ信号ＰＳＩＧをフィルム３１上の２系統のＰＳＩＧ配線４３Ａ，４３Ｂを通して表示パネル１１に入力するとともに、表示パネル１１上に配線された２系統のＰＳＩＧ配線１８Ａ，１８Ｂを通してプリチャージドライバ１５にその両端から入力する第１変形例に係る液晶表示装置において、ＰＳＩＧバッファ４４を駆動基板３３上に設けた構成を採っている。
【００６２】
この第３変形例によれば、第２変形例の場合と同様に、ドライバＩＣ３２の消費電力を低下させ、ＣＯＦ実装の信頼性を向上させることができる等の作用効果を得ることができるとともに、第１変形例の場合と同様に、プリチャージ動作を短時間で行うことができるために、信号線一括プリチャージ駆動に要する時間が短くなってきたとしても、ユニフォミティ向上のための信号線一括プリチャージ駆動を限られた時間内で確実に行うことができ、それに伴って高画質な表示画像を得ることができる。
【００６３】
なお、第１変形例（図７）および第３変形例（図１０）において、プリチャージ信号ＰＳＩＧをプリチャージドライバ１５にその両端から入力するＰＳＩＧ配線１８Ａ，１８Ｂを同一の配線層で形成することにより、他の配線層とを電気的に接続するコンタクト部を設けなくて済むために、ＰＳＩＧ配線１８Ａ，１８ＢのプリチャージスイッチＰＳＷ−１〜ＰＳＷ−ｎまでの引き回し配線のさらなる低抵抗化を実現することができる。
【００６４】
［第３実施形態］
図１１は、本発明の第３実施形態に係る画像表示装置の構成の概略を示すシステム構成図であり、図中、図１と同等部分には同一符号を付して示している。本実施形態でも、信号線選択駆動方式の液晶表示装置に適用した場合を例に挙げて説明するものとする。ただし、本実施形態に係る液晶表示装置は、ＶＣＯＭ電位の極性を所定の周期（例えば、フィールド周期）で反転させるコモン反転駆動法を採用している。
【００６５】
図１１において、ＣＯＦ実装のドライバＩＣ３２は、駆動基板３３から与えられるＶＣＯＭデータに基づいて所定の周期で極性が反転するＶＣＯＭ反転信号を生成する。ドライバＩＣ３２で生成されたＶＣＯＭ反転信号は、フィルム３１の第１のＶＣＯＭ配線５１によって一度駆動基板３３に供給され、当該駆動基板３３上に設けられたバッファ５２を通してＶＣＯＭ迂回配線５３に供給される。
【００６６】
フィルム３１上には、電源線や制御線３５Ａ，３５Ｂをそれぞれ挟んで例えば４本の第２のＶＣＯＭ配線５４Ａ〜５４Ｄが配線されている。一方、駆動基板３３上のＶＣＯＭ迂回配線５３は、フィルム３１上の４本のＶＣＯＭ配線５４Ａ〜５４Ｄに対応して４分割されて配線されており、バッファ５２を通して供給されるＶＣＯＭ反転信号をフィルム３１上の４本のＶＣＯＭ配線５４Ａ〜５４Ｄに供給する。
【００６７】
フィルム３１から一度駆動基板３３に戻され、当該駆動基板３３からフィルム３１に再び戻されたＶＣＯＭ反転信号は、第２のＶＣＯＭ配線５４Ａ〜５４Ｄを通して、表示パネル１１上の２系統のＶＣＯＭ配線１６Ａ，１６Ｂに供給され、ＶＣＯＭ配線１６Ａおよびコンタクト部１９Ａ〜１９Ｄを通して対向基板に与えられるとともに、ＶＣＯＭ配線１６Ｂを通して各画素の保持容量に全画素共通に与えられる。
【００６８】
上述したように、表示駆動の制御を行う駆動基板３３から供給されるＶＣＯＭデータに基づいて、ＣＯＦ実装されたドライバＩＣ３２にて所定の周期で極性が反転するＶＣＯＭ反転信号を生成して表示パネル１１上の画素アレイ部１２に供給するコモン反転駆動法を採る例えば液晶表示装置において、ドライバＩＣ３２で生成したＶＣＯＭ反転信号を一度駆動基板３３に戻し、ＶＣＯＭ迂回配線５３を経由して再びフィルム３１に入力し、当該フィルム３１を経由して表示パネル１１に供給するようにすることで、次のような作用効果を得ることができる。
【００６９】
先ず、ドライバＩＣ３２で生成したＶＣＯＭ反転信号をフィルム３１から直接表示パネル１１に入力する構成を採った場合は、図１２に示すように、フィルム３１上のＶＣＯＭ配線５４が電源線や制御線３５Ｂよりも内側を通ることになるために、ＶＣＯＭ配線１６Ａと垂直ドライバ１３Ａ，１３Ｂ用の電源線やその制御線１７Ａ，１７Ｂとが表示パネル１１内で交差することになる。
【００７０】
これに対して、ＶＣＯＭ反転信号を一度駆動基板３３に戻すことにより、図１１から明らかなように、フィルム３１上の４本のＶＣＯＭ配線５４Ａ〜５４Ｄを通して、表示パネル１１上に抵抗基板用と保持容量用とに分けて配線された２系統のＶＣＯＭ配線１６Ａ，１６Ｂに入力することができるために、ＶＣＯＭ配線１６Ａが垂直ドライバ１３Ａ，１３Ｂ用の電源線やその制御線１７Ａ，１７Ｂと表示パネル１１内で交差することがなく、ＶＣＯＭ配線１６Ａ，１６Ｂのインピーダンスを下げることができる。
【００７１】
ＶＣＯＭ配線１６Ａ，１６Ｂのインピーダンスが下がることにより、液晶表示装置の多画素化や高フレームレート化によってシステム全体の駆動速度が高速化され、それに伴って１水平時間、ひいては有効水平時間が短くなってきたとしても、ＶＣＯＭ反転信号を映像信号の書込み時間内に安定させることができるために、線順次駆動方式と比較して書込み時間が短くなる信号線選択駆動方式の液晶表示装置でも、ユニフォミティを悪化させることなく、高画質な表示画像を得ることができる。
【００７２】
また、バッファ５２を駆動基板３３上に設けることで、当該バッファ５２がなくなった分だけドライバＩＣ３２の消費電力を低下させることができるために、ＣＯＦ実装の信頼性を向上させることができる。また、ドライバＩＣ３２の消費電力の低下に伴ってドライバＩＣ３２の発熱を抑えるためのヒートシンクが不要になるために、その分だけコスト低減を図ることもできる。
【００７３】
（変形例）
図１３は、第３実施形態の変形例に係る画像表示装置の構成の概略を示すシステム構成図であり、図中、図１１と同等部分には同一符号を付して示している。
【００７４】
第３実施形態に係る液晶表示装置では、ＣＯＦ実装されたドライバＩＣ３２で生成したＶＣＯＭ反転信号を対向電極と保持容量に共通に与える構成を採っているのに対して、変形例に係る液晶表示装置では、ＣＯＦ実装されたドライバＩＣ３２において、対向電極に与えるＶＣＯＭ反転信号と保持容量に与えるＶＣＳ反転信号とを別々に生成する構成を採っている。
【００７５】
具体的には、ＣＯＦ実装されたドライバＩＣ３２は、駆動基板３３から与えられるＶＣＯＭデータおよびＶＣＳデータに基づいて、所定の周期で極性が反転するＶＣＯＭ反転信号とＶＣＳ反転信号とを同期させて生成する。ここで、ＶＣＯＭ反転信号の振幅とＶＣＳ反転信号の振幅とは同じであっても良いし、異ならせても良い。
【００７６】
ドライバＩＣ３２で生成されたＶＣＯＭ反転信号は、フィルム３１の第１のＶＣＯＭ配線５１によって一度駆動基板３３に戻され、当該駆動基板３３上に設けられたバッファ５２を通して、例えば２分割されたＶＣＯＭ迂回配線５３に供給される。駆動基板３３に戻されたＶＣＯＭ反転信号は、フィルム３１上の電源線や制御線３５Ａ，３５Ｂの外側に配線された２本の第２のＶＣＯＭ配線５４Ａ，５４Ｂを経由して表示パネル１１上のＶＣＯＭ配線１６Ａにその両端から入力される。
【００７７】
ドライバＩＣ３２で生成されたＶＣＳ反転信号は、フィルム３１の第１のＶＣＳ配線５５によって一度駆動基板３３に戻され、当該駆動基板３３上に設けられたバッファ５６を通して、例えば２分割されたＶＣＳ迂回配線５６に供給される。駆動基板３３に戻されたＶＣＳ反転信号は、フィルム３１上の電源線や制御線３５Ａ，３５Ｂの内側に配線された２本の第２のＶＣＳ配線５８Ａ，５８Ｂを経由して表示パネル１１上のＶＣＯＭ配線（ＶＣＳ配線）１６Ｂにその両端から入力される。
【００７８】
この変形例によれば、第３実施形態の作用効果に加えて、ＶＣＯＭ反転信号とＶＣＳ反転信号とを別々に生成して駆動するに当たって、駆動基板３３上に設けた２つのバッファ５２，５６の分だけドライバＩＣ３２の消費電力を低下させることができるために、ＣＯＦ実装の信頼性を向上させることができる。また、ドライバＩＣ３２の消費電力の低下に伴ってドライバＩＣ３２の発熱を抑えるためのヒートシンクが不要になるために、その分だけコスト低減を図ることもできる。
【００７９】
（他の変形例）
コモン反転駆動法を採る液晶表示装置において、表示パネル１１の基準電位となっているＶＣＯＭ電位を安定させるためにＶＣＯＭ配線１６Ａ，１６Ｂを低インピーダンス化させる必要があるが、フィルム３１と表示パネル１１との接続抵抗に律速しないように、ＶＣＯＭ供給端子数を増やす、または、ＶＣＯＭ供給端子のパッド（接続パッド）の面積を他の端子よりも広くして、表示パネル１１とフィルム３１との接続部分の接続抵抗を抑えることで、ＶＣＯＭ配線１６Ａ，１６Ｂのさらなる低インピーダンス化を図ることができるために、より高画質な表示画像を得ることができる。
【００８０】
また、ＶＣＯＭ反転信号の振幅とＶＣＳ反転信号の振幅とを異ならせた場合、基準電位が２個存在することになるが、それぞれについて端子数を増やしたり、また、端子のパッド部の面積を他の端子よりも広くしたりすることで、ＶＣＯＭ配線１６Ａ／ＶＣＳ配線１６Ｂのさらなる低インピーダンス化を図ることができるために、より高画質な表示画像を得ることができる。
【００８１】
なお、上記各実施形態では、信号線選択駆動（擬似線順次駆動）方式の液晶表示装置に適用した場合を例に挙げて説明したが、本発明はこの適用例に限られるものではなく、点順次駆動方式や線順次駆動方式などの他の駆動方式の液晶表示装置にも同様に適用可能である。ただし、多画素化や高フレームレート化に伴い、線順次駆動方式と比較して書込み時間が短くなり、ユニフォミティが悪化し易い信号線選択駆動方式や点順次駆動方式の液晶表示装置に適用するとその効果が大きい。
【００８２】
また、上記各実施形態では、ドライバＩＣ３２がフィルム３１上に実装（ＣＯＦ実装）された液晶表示装置に適用した場合を例に挙げて説明したが、ドライバＩＣ３２が表示パネル１１上に実装された、即ちＣＯＧ実装された液晶表示装置に対しても同様に適用可能である。すなわち、本発明の特徴とするところは、駆動基板３３から与えられたデータに基づいてドライバＩＣ３２で生成されたＶＣＯＭ電位／プリチャージ信号ＰＳＩＧ／ＶＣＯＭ反転信号（ＶＣＳ反転信号）を一度駆動基板３３に戻し、しかる後駆動基板３３からフィルム３１を経由して、または直接に表示パネル１１に入力する点にある。
【００８３】
また、上記各実施形態では、画像表示装置として、画素の発光素子として液晶セルを用いた液晶表示装置を例に挙げて説明したが、本発明は液晶表示装置への適用に限られるものではなく、発光素子として有機ＥＬ(electro luminescence) 素子を用いた有機ＥＬ表示装置など、表示パネルで用いられる各種の基準電位やプリチャージ信号をＣＯＦ実装またはＣＯＧ実装のドライバＩＣ（駆動回路）で生成する構成を採る画像表示装置全般に適用可能である。
【図面の簡単な説明】
【００８４】
【図１】本発明の第１実施形態に係る液晶表示装置の構成の概略を示すシステム構成図である。
【図２】画素の回路構成の一例を示す回路図である。
【図３】第１実施形態の第１変形例に係る液晶表示装置の構成の概略を示すシステム構成図である。
【図４】第１実施形態の第２変形例に係る液晶表示装置の構成の概略を示すシステム構成図である。
【図５】本発明の第２実施形態に係る液晶表示装置の構成の概略を示すシステム構成図である。
【図６】ＣＯＦ実装のドライバＩＣで生成したプリチャージ信号ＰＳＩＧを直接表示パネルに入力する構成を採った場合の課題の説明図である。
【図７】第２実施形態の第１変形例に係る液晶表示装置の構成の概略を示すシステム構成図である。
【図８】プリチャージ信号ＰＳＩＧのパネル入力部での信号波形ＰＳＩＧ１ａと、第１変形例を適用したときの信号線への書込み波形ＳＩＧ１および適用しないときの信号線への書込み波形ＳＩＧ２とを示す波形図である。
【図９】第２実施形態の第２変形例に係る液晶表示装置の構成の概略を示すシステム構成図である。
【図１０】第２実施形態の第３変形例に係る液晶表示装置の構成の概略を示すシステム構成図である。
【図１１】本発明の第３実施形態に係る画像表示装置の構成の概略を示すシステム構成図である。
【図１２】ＣＯＦ実装のドライバＩＣで生成したＶＣＯＭ反転信号を直接表示パネルに入力する構成を採った場合の課題の説明図である。
【図１３】第３実施形態の変形例に係る液晶表示装置の構成の概略を示すシステム構成図である。
【図１４】信号線選択駆動方式を採用する液晶表示装置の構成の概略を示すシステム構成図である。
【図１５】セレクトスイッチの４つのスイッチと４本の信号線との接続関係を示す図である。
【図１６】映像信号Ｖｓｉｇを書き込む際にＶＣＯＭ電位が変動する様子を示す波形図である。
【図１７】従来のＣＯＦ実装されたドライバＩＣと表示パネルとの接続関係を示す図である。
【図１８】従来のＰＳＩＧ配線の引き回しの様子を示す図である。
【符号の説明】
【００８５】
１１…表示パネル、１２…画素アレイ部、１３…垂直ドライバ（走査線駆動回路）、１４…水平ドライバ（信号線駆動回路）、１５…プリチャージドライバ、１６，１６Ａ，１６Ｂ…ＶＣＯＭ配線、１８，１８Ａ，１８Ｂ…ＰＳＩＧ配線、２０…画素、２１…ＴＦＴ（画素トランジスタ）、２２…液晶セル、２３…保持容量、２４…走査線、２５（２５−１〜２５−ｎ）…信号線、３１…フィルム、３２…ドライバＩＣ（駆動回路）、３３…駆動基板、３７，５３…ＶＣＯＭ迂回配線、４２…ＰＳＩＧ迂回配線、４４，５２，５６…バッファ，５７…ＶＣＳ迂回配線
【図１】
2008046384.tif 000003
【図２】
2008046384.tif 000004
【図３】
2008046384.tif 000005
【図４】
2008046384.tif 000006
【図５】
2008046384.tif 000007
【図６】
2008046384.tif 000008
【図７】
2008046384.tif 000009
【図８】
2008046384.tif 000010
【図９】
2008046384.tif 000011
【図１０】
2008046384.tif 000012
【図１１】
2008046384.tif 000013
【図１２】
2008046384.tif 000014
【図１３】
2008046384.tif 000015
【図１４】
2008046384.tif 000016
【図１５】
2008046384.tif 000017
【図１６】
2008046384.tif 000018
【図１７】
2008046384.tif 000019
【図１８】
2008046384.tif 000020